(57)【要約】【課題】長方形の平面形状の高光反射性を有するシート材料を樋形状に形成して、既存の照明器具に取付ける。【解決手段】高光反射性を有するシート材料を長方形の平面形状に形成し、長手方向に伸びる樋状形状となるように短手方向に湾曲させる。長手方向両端部には、内方へ膨出するアーチ状折曲げ線１２が設けられ、樋状形状の内面側で相互に対向するように折り曲げる。アーチ状の曲げ線１２と、この折曲げ線に対応する長手方向端との間の領域１４には蛍光灯２を挿通する開口１３を設ける。【選択図】図３
2010257897.tif 000002
【特許請求の範囲】
【請求項１】
高光反射性を有するシート材料により総体的に長方形の平面形状に形成され、
長手方向両端部には、各長手方向端の短手方向両端を基点として内方へと膨出するように湾曲するアーチ状折曲げ線がそれぞれ設けられ、
前記アーチ状折曲げ線と各アーチ状折曲げ線に対応する長手方向端との間に画定される領域内には直管蛍光灯を挿通するための開口がそれぞれ設けられ、
長手方向に伸びる樋状形状を形成するように短手方向に湾曲されると供に、長手方向両端の開口が樋状形状の内面側で相互に対向するように各弧状折曲げ線に沿ってそれぞれ折り曲げられる、直管蛍光灯用反射板。
【請求項２】
前記樋状の湾曲は、長手方向に延びる、短手方向に平行な複数の直線状の折曲げ線に沿って曲げることにより行われる、請求項１に記載の直管蛍光灯用反射板。
【発明の詳細な説明】
【技術分野】
【０００１】
本発明は、既存の照明器具、特に、直管蛍光灯を用いた照明器具に取付けるための反射板に関する。
【背景技術】
【０００２】
従来から、使用する蛍光灯の本数を抑えるために、直管蛍光灯の照明器具と蛍光灯との間に金属板等の反射板を取り付けていた。つまり、この種の反射板を照明器具に取付けることで蛍光灯の背面方向への照射反射率を高め、使用していた蛍光灯の本数を少なくしてもその明るさを維持することができるものである。しかしながら従来の反射板は、製造コストや運搬費等が嵩むという問題があった。そこで、照明器具と蛍光灯との間に、この蛍光灯を覆うようなアーチ状の熱可塑性を材料とする反射板が提案されている（例えば特許文献１参照）。
【先行技術文献】
【特許文献】
【０００３】
【特許文献１】特開２００８−１２３７１５号公報
【発明の概要】
【発明が解決しようとする課題】
【０００４】
上述した特許文献１では、アーチ状に形成した熱可塑性樹脂からなる反射板を用いるために、金属等の材料で形成される反射板に比べて軽量であり製造コストや運搬費用を抑えられる。また、反射板の縁全周又は部分的に金属製の補強材を取付けているために、曲げ剛性が高くアーチ状の形状を保持することが出来る。しかるにこの反射板は、縁全周又は部分的に金属製の補強材を取付けるために、製造コストが嵩むという問題がある。
【０００５】
そこで本発明の目的は、直管蛍光灯に対して回転しない、長手方向へ樋状形状に形成した高光反射性を有するシート材料を取り付けることで省電力となる直管蛍光灯用反射板を提供することにある。
【課題を解決するための手段】
【０００６】
上記課題を解決するために本発明による直管蛍光灯用反射板の特徴は、長方形に形成した高光反射性を有するシート材料の両端部に、折曲げ線や、直管蛍光灯を挿通させる開口をそれぞれ設けたことにある。
【０００７】
すなわち、本発明による直管蛍光灯用反射板は、高光反射性を有するシート材料により総体的に長方形の平面形状に形成され、その長手方向両端部には、各長手方向端の短手方向両端を基点として内方へと膨出するように湾曲するアーチ状折曲げ線がそれぞれ設けられる。前記アーチ状折曲げ線と各アーチ状折曲げ線に対応する長手方向端との間に画定される領域内には、直管蛍光灯を挿通するための開口がそれぞれ設けられる。長手方向に伸びる樋状形状を形成するように短手方向に湾曲されると共に、長手方向両端の開口が樋状形状の内面側で相互に対向するように各弧状折曲げ線に沿ってそれぞれ折り曲げられる。
【０００８】
前記樋状の湾曲は、長手方向に延びる短手方向に平行な複数の直線状の折曲げ線に沿って曲げることにより行われることが望ましい。
【０００９】
ここで「高光反射性を有するシート材料」とは、蛍光灯の光を反射させる熱可塑性樹脂を主体とするもので、例えばポリエステル、ポリフェニレンサルファイド、ポリプロピレン、及びシクロポリオレフィンが該当し、特に限定するものではないが、古川電気工業株式会社が製造販売するポリエステル発泡シート材料、ＭＣＰＥＴ（商標）が好適である。一方、「折曲げ線」とは、単に線を描いたもののみならず、表面を押圧して溝状に形成したものや線状の切込みなども含む。「開口」とは、例えば円、楕円、及び多角形のものを含み、また、その数も１対のみならず複数対開口したものであつてもよい。
【発明の効果】
【００１０】
本発明によって、以下の効果を発揮することができる。直管蛍光灯用反射板の両端部の開口に蛍光灯を挿入すると、蛍光灯と開口の内周とがシート材料の戻り力によって強く接触するために、留め金具などの手段を用いることなしに、直管蛍光灯用反射板が蛍光灯に対して回転することはない。このため、蛍光灯の光を確実に所要の方向へ反射させることができ、蛍光灯の本数を減らしても光度が変わることはない。
【００１１】
また、直管蛍光灯用反射板の両端部に設けたアーチ状折曲げ線を、樋状形状の内面側で相互に対向するように折り曲げることによって、この直管蛍光灯用反射板の樋状形状を維持させることができる。さらに直管蛍光灯用反射板は、高光反射性シート材料を使用するために、軽量で製造し易いだけでなく、取付け時まで平板状にしておき、取付け時に所定の形状に変形させて使用できるため、運搬等でかさばることがなく、製品コストを抑えることができる。
【図面の簡単な説明】
【００１２】
【図１】本発明の実施例による直管蛍光灯用反射板の展開状態を示す平面図である。
【図２】図１に示す直管蛍光灯用反射板の組立状態を示す斜視図である。
【図３】本発明の実施例による直管蛍光灯用反射板を蛍光灯に装着した状態を示す側面図である。
【発明を実施するための形態】
【００１３】
図１〜図３を参照しつつ、本発明による直管蛍光灯用反射板を説明する。さて、図１に示すように、本発明の直管蛍光灯用反射板１は、高光反射性を有するシート材料を用いて形成される。この高光反射性のポリエステル発泡シートは、これに限定されるものではないが、通常、厚さを０．５〜１．０ｍｍ、長手方向長さを１２００ｍｍ、及び短手方向長さが１８０ｍｍの長方形に形成される。直管蛍光灯用反射板１には、長手方向に伸びる、短手方向に平行な複数の直線状の折曲げ線１１が形成される。本実施例において、直線状の折曲げ線１１，１１間の間隔は、２０ｍｍで、短手方向に８本を形成しているが、この直線状の折曲げ線の本数および間隔は、これに限定されるものではなく、適宜に増減することができることは容易に理解されよう。さらに、直管蛍光灯用反射板１に用いられる高光反射性シート材料は、ポリエステル、ポリフェニレンサルファイド、ポリプロピレン、及びシクロポリオレフィンなどを単独に使用して形成されたものだけでなく、紫外線防止剤、白色顔料、その他の顔料、及びこれらを混合したものを含有させたものを使用してもよい。
【００１４】
直管蛍光灯用反射板１の長手方向長さは、直管型蛍光灯の２０Ｗや４０Ｗ等の型番によってその長さを変えることができ、上記数値に限定されない。また、直管蛍光灯用反射板１の短手方向長さは蛍光灯２の使用本数によってその長さを変えることができ、この値もまた上記数値に限定されない。
【００１５】
直管蛍光灯用反射板１の長手方向の両端部には、各長手方向端であって短手方向両端から内方へと膨出するように湾曲したアーチ状折曲げ線１２，１２をそれぞれ形成している。なお、折曲げ線１２の始点は、図示の場合、各長手方向端であって短手方向両端を基点としているが、この短手方向の内方に入った位置からでも、長手方向の内方に入った位置から始まってもよい。アーチ状折曲げ線１２，１２と、これらの折曲げ線に対応する長手方向端とに囲まれた領域１４，１４のほぼ中央部分には、蛍光灯２が挿通するための開口１３，１３がポンチで開けられている。開口１３は、直管蛍光灯用反射板１の長手方向より短手方向の長さが長い楕円形状である。なお領域１４には開口１３を、直管蛍光灯用反射板１の短手方向に複数並べて開口させてもよい。
【００１６】
次に本発明による直管蛍光灯用反射板１の組立て方と、既存の照明器具に取付ける場合についてそれぞれ説明する。図１に示すように、直管蛍光灯用反射板１には、長手方向に延びる短手方向に平行な８本の直線状の折曲げ線１１が形成されている。それぞれの直線状の折曲げ線１１に沿って短手方向に湾曲させることにより、総体的に樋形状の直管蛍光灯用反射板１を形成するように。次に、図２に示すように、長手方向両端の領域１４，１４が、樋形状に形成された直管蛍光灯用反射板１の内面側で相互に対向するように、長手方向両端部をアーチ状折曲げ線１２，１２に沿ってそれぞれ曲げられる。
【００１７】
上述の如くして立体的な形状に形成された直管蛍光灯用反射板１は、図３に示すように、直管蛍光灯用反射板１の各領域１４にそれぞれ設けた１対の開口１３，１３に蛍光灯２を挿通させる。開口１３，１３間の距離は、蛍光灯２の長手方向の長さより短く形成されているため、既存の照明器具に取付けるとき、この蛍光灯を挿通させた直管蛍光灯用反射板１が取付け作業の邪魔にならない。
【００１８】
ここにおいて、図３には、直管蛍光灯用反射板１の長手方向外方に蛍光灯２のガラス管部分が露呈するように示されているが、これは本発明のより容易な理解のために、開口１３，１３間の距離が蛍光灯２の長手方向の長さに対して極度に小さくなるように示したものであり、望ましくは、蛍光灯２のガラス管の部分が開口１３，１３間に位置するように形成し、それにより、蛍光灯２の実質的にすべての光を反射させる。
【００１９】
領域１４，１４は、高光反射性シート材料自体の弾性によって直管蛍光灯用反射板１のそれぞれ外方へ広がろうとするため、蛍光灯２とこの領域に設けられた開口１３，１３とが相互に強く接触し、直管蛍光灯用反射板１がこの蛍光灯２に対して固定された状態となり、不用意に蛍光灯２の軸回りで回転したり、蛍光灯２の軸方向に移動したりすることはない。
【００２０】
上述の説明において、直管蛍光灯用反射板１を樋形状に形成するために、直線状の折曲げ線１１を設けるように図示し説明したが、熱加工などにより所定の形状に形成することも可能であり、その場合、折曲げ線１１は勿論のこと、アーチ状折曲げ線１２もまた別個に設けなくてもよいことは容易に理解されよう。
【産業上の利用可能性】
【００２１】
本発明は軽量で容易に成形ができ、既存の照明器具に簡単に取付けられ、省電力とすることができるため、照明器具等に関する広範な産業分野において広く利用可能である。
【符号の説明】
【００２２】
１              直管蛍光灯用反射板
１１            （直線状の）折曲げ線
１２            アーチ状折曲げ線
１３            開口
１４            領域
２              蛍光灯
【図１】
2010257897.tif 000003
【図２】
2010257897.tif 000004
【図３】
2010257897.tif 000005